(57)【要約】  【課題】  プロジェクタなどの光学装置において、筐体内に配設される鏡又はプリズム等の光学部材の向きを筐体の外部から変更することができ、且つ、筐体内を密閉して塵埃の侵入を防ぐことができる光学装置を提供することにある。  【解決手段】  筐体５０の蓋体５０ａに開口部５１を形成し、開口部５１から鏡１０を保持する鏡保持体２０のツマミ部２１を突出させ、ツマミ部２１を操作することで鏡１０の向きを調節する。また、筐体５０の内部から開口部５１の周縁部分と当接して開口部５１を閉鎖する閉鎖板２２を鏡保持体２０に備え、開口部５１から塵埃が侵入することを防ぎ、筐体５０内の密閉性を高める。【選択図】      図５
2006251752.tif 000002
【特許請求の範囲】
【請求項１】
筐体と、該筐体内に配設された光学部材と、該光学部材を保持する保持体とを備え、該保持体に、前記筐体の内部から外部へ突出し、前記光学部材の向きを変更するためのツマミ部を設けてある光学装置において、
前記筐体には前記ツマミ部を突出させるための開口が形成してあり、
前記保持体は前記開口を前記筐体の内部から閉鎖する閉鎖部を有し、
前記ツマミ部は前記閉鎖部に設けてあり、
前記保持体を前記筐体に固定する固定手段を備えることを特徴とする光学装置。
【請求項２】
前記閉鎖部は、前記開口を閉鎖する閉鎖面から隆起する隆起部分を有し、
該隆起部分が、前記開口の周縁部分と連続して当接するようにしてある請求項１に記載の光学装置。
【請求項３】
前記固定手段はネジであり、
前記筐体には前記ネジの軸部が遊貫する貫通孔が形成してあり、
前記閉鎖部は、前記ネジと螺合するネジ穴が形成してあり、前記貫通孔の周縁部分に当接して、前記筐体の内側から前記貫通孔を閉鎖するようにしてある請求項１又は請求項２に記載の光学装置。
【請求項４】
前記保持体には棒状の支軸部が突出してあり、
前記筐体には内側から外側へ縮径するテーパ穴が形成してあり、
前記支軸部を前記テーパ穴に挿入して前記保持体を揺動可能且つ回動可能に支持するようにしてある請求項１乃至請求項３のいずれか１つに記載の光学装置。
【請求項５】
前記筐体は着脱可能な蓋体を有し、
前記固定手段は前記保持体を前記蓋体に固定するようにしてあり、
前記保持体は突出部分を有し、
前記固定手段による固定を解除した場合に、前記突出部分に当接して前記保持体を支持する当接支持部を前記筐体内に備える請求項１乃至請求項４のいずれか１つに記載の光学装置。
【請求項６】
前記閉鎖部は、前記開口を閉鎖する閉鎖面から隆起し、複数の凸部が形成された隆起部分を有し、
該隆起部分の凸部が、前記開口の周縁部分と当接するようにしてある請求項１に記載の光学装置。
【請求項７】
前記閉鎖部は、前記開口を閉鎖する閉鎖面から隆起する隆起部分を有し、
前記筐体の内側の前記開口の周縁部分には、複数の凸部が形成してあり、
前記隆起部分が、前記開口の周縁部分の凸部と当接するようにしてある請求項１に記載の光学装置。
【請求項８】
前記閉鎖部は、前記開口を閉鎖する閉鎖面から隆起し、複数の凸部が形成された隆起部分を有し、
前記筐体の内側の前記開口の周縁部分には、前記隆起部分の複数の凸部と噛合する複数の凸部が形成してある請求項１に記載の光学装置。
【請求項９】
前記保持体を前記筐体の前記開口の側へ向けて付勢する付勢手段を備える請求項１乃至請求項８のいずれか１つに記載の光学装置。
【請求項１０】
前記支軸部に挿嵌されるコイルバネを備え、
該コイルバネが、前記保持体の前記支軸部の突出基部と前記筐体の前記テーパ穴の周縁部との間に介在して、前記保持体を前記筐体の前記開口の側へ向けて付勢するようにしてある請求項４に記載の光学装置。
【発明の詳細な説明】
【技術分野】
【０００１】
本発明は、レンズ、プリズム又は鏡等の光学部材を備えて光源からの光をＤＭＤ（Ｄｉｇｉｔａｌ  Ｍｉｃｒｏｍｉｒｒｏｒ  Ｄｅｖｉｃｅ）又は液晶パネル等の光変調デバイスに照射し、光変調により形成された映像をスクリーンに投影するプロジェクタに用いられる光学装置に関する。
【背景技術】
【０００２】
光源からの照射光を光変調するＤＭＤ又は液晶パネル等の光変調デバイスを有し、光変調デバイスにより変調された映像をスクリーンに投影するプロジェクタが実用化されている。プロジェクタは液晶ディスプレイ又はＰＤＰ等の大型テレビジョンと比較して、低コストでの製造が可能であり、小型であるため可搬性に優れているという利点がある。特に近年ではＤＭＤを利用したＤＬＰ（Ｄｉｇｉｔａｌ  Ｌｉｇｈｔ  Ｐｒｏｃｅｓｓｉｎｇ）システムが注目されている。
【０００３】
プロジェクタでは光源からの光を光変調デバイスへ導くために、複数個のレンズ、プリズム又は鏡等の光学部材を用いて光路を形成する。この光路上に塵埃が存在した場合には、塵埃により光源からの光が遮られ、最終的にスクリーン上に投影される映像に塵埃の影が映るという問題がある。このため、光学部材が配設される筐体を外部と遮断して密閉し、光路の防塵性を高めることが求められる。
【０００４】
例えば、特許文献１においては、光学ユニット、反射鏡、スクリーン及び冷却ファン等を筐体内に密閉して防塵効果を高め、更に光学ユニットの冷却を十分に行うことができる液晶プロジェクションテレビが提案されている。また、特許文献２においては、光源であるランプユニット以外の光学系を全て密閉して密閉空間を形成し、密閉空間内に空気を循環させるための冷却ファンを配し、循環空気を一方向に循環させる空気循環路を形成し、密閉空間内の光学素子で発生した熱を密閉空間外の空気と熱交換するための放熱フィンを備えることで、光学素子の塵埃防止及び効率的な冷却を行うことができる投写型表示装置が提案されている。
【０００５】
一方、プロジェクタにおいては、レンズ、プリズム及び鏡等の光学部材を筐体内に配して組立を行った後で、スクリーンに投影される映像にずれが生じている場合又は映像の明度が不十分である場合等に、光学部材から出射される光の集光位置又は出射方向等を調整できるよう、筐体の外側から光学部材の位置又は角度等を変更することができるものがある。例えば、光源からの光を反射してＤＭＤへ反射光を入射させるための鏡において、鏡の反射方向を調節することができるものが実用化されている。
【０００６】
図１４は、光学装置における従来の鏡取付構造を示す模式断面図であり、図１５は、筐体内で鏡を保持する従来の鏡保持体の構成を示す斜視図である。図において１００は光学装置の筐体であり、筐体１００の内部に鏡１２０及び鏡１２０を保持する鏡保持体１１０を収容して配設してある。また、筐体１００には図示しないレンズ、プリズム及び光変調デバイスであるＤＭＤ等が配設してあり、光源からの光をレンズ、プリズム及び鏡１２０等を介してＤＭＤに照射し、ＤＭＤが変調した光を投影用のレンズで拡大して外部のスクリーンに投影するための光学系が形成してある。
【０００７】
鏡保持体１１０は金属板を加工して形成されるものであり、鏡１２０を取り付けるための長方形の板状の鏡取付部１１０ａを有し、鏡取付部１１０ａに鏡１２０を接着剤などを用いて着設する。鏡取付部１１０ａの一方の長辺部分には、側面の略中央から長辺部分の１／５〜１／６程度の幅を有する矩形状の支持部１１０ｂが延出してあり、支持部１１０ｂの端部は若干幅を狭く形成してある。支持部１１０ｂの端部は鏡保持体１１０が筐体１００に配設された場合に、筐体１００に形成された支持穴１００ａに挿入され、この状態で鏡保持体１１０は支持される。鏡取付部１１０ａの他方の長辺部分には、支持部１１０ｂと同程度の幅の２つの延出部分が形成してあり、２つの延出部分は中途部で鏡取付部１１０ａの鏡１２０を取り付ける面と反対側に略９０度折り曲げてあり、更に端部が延出方向と同方向に略９０度折り曲げてある。鏡取付部１１０ａに対して略９０度折り曲げられた部分が鏡保持体１１０を筐体１００に固定するための固定部１１０ｄ、１１０ｄをなし、更に略９０度折り曲げられた部分が鏡１２０の反射方向を調整するために鏡保持体１１０を動かす場合に操作されるツマミ部１１０ｃ、１１０ｃをなす。固定部１１０ｄ、１１０ｄには貫通孔１１０ｅ、１１０ｅが穿設してあり、ネジ１３０、１３０（１つのみ図示してある）が貫通孔１１０ｅ、１１０ｅを挿通して筐体１００に固定するようにしてある。また、貫通孔１１０ｅ、１１０ｅは楕円形であり、ネジ１３０、１３０の軸部が遊びを持った状態で挿通するようにしてある。
【０００８】
筐体１００の一の面は着脱可能な蓋体１００ｂであり、筐体１００の内部に光学系を組み立てた後で装着され、図示しない複数個のネジにより固定される。蓋体１００ｂに対向する面の端部分には円形の支持穴１００ａが形成してあり、円形の支持穴１００ａに鏡保持体１１０の板状の支持部１１０ｂの先端部を隙間を持たせて挿入することで、支持部１１０ｂは支持穴１００ａの範囲内で回動及び揺動することができる。蓋体１００ｂを装着する筐体１００の縁部分には、鏡保持体１１０を固定するためのネジ穴１００ｄ、１００ｄ（１つのみ図示してある）が形成されており、鏡保持体１１０の固定部１１０ｄ、１１０ｄを筐体１００の縁部分に載置し、ネジ１３０、１３０を貫通孔１１０ｅ、１１０ｅを貫通させてネジ穴１００ｄ、１００ｄに螺合させることで鏡保持体１１０を固定することができるようにしてある。また、蓋体１００ｂには、鏡保持体１１０の固定部１１０ｂ、１１０ｂを筐体１００の縁部分に載置できるように、固定部１１０ｂ、１１０ｂの形状に応じた切り欠き１００ｃ、１００ｃ（１つのみ図示してある）が形成してあり、切り欠き１００ｃ、１００ｃは鏡保持体１１０の回動及び揺動の範囲に合わせて若干大きく形成してある。ネジ１３０、１３０で鏡保持体１１０を筐体１００に固定した状態では、鏡保持体１００のツマミ部１１０ｃ、１１０ｃは筐体１００の外部に露出する。
【０００９】
以上の構成の鏡取付構造を有する光学装置において、鏡１２０の反射方向を調節する場合には、ネジ１３０、１３０を緩め、鏡保持体１１０のツマミ部１１０ｃ、１１０ｃを操作して鏡保持体１１０を回動及び揺動させて、鏡１２０の反射方向を調節する。鏡１２０の反射方向が定まった後でネジ１３０、１３０を締めて鏡保持体１１０を固定し、調節を完了する。この構成においては、筐体１００の蓋体１００ｂを脱着することなく、鏡１２０の反射方向を外部に露出したツマミ部１１０ｃ、１１０ｃの操作のみで簡単に行うことができるという利点がある。
【特許文献１】特開２０００−１４７４４９号公報
【特許文献２】特開２００３−３３７３８０号公報
【発明の開示】
【発明が解決しようとする課題】
【００１０】
しかしながら、従来の鏡取付構造を有する光学装置においては、筐体１００の蓋体１００ｂに切り欠き１００ｃ、１００ｃが形成されているため、筐体１００の内部を完全に密閉することができず、切り欠き１００ｃ、１００ｃから塵埃が侵入する虞があるという問題があり、筐体１００内に別の塵埃防止手段を備える必要があった。また、特許文献１に記載の液晶プロジェクションテレビ及び特許文献２に記載の投写型表示装置においては、レンズ、プリズム及び鏡等の光学部材で形成される光学系を密閉することはできるが、組立後に光学部材の調整を行うことを考慮したものではなく、調整を行うために筐体の一部を開けて筐体内の光学部材を動かさなくてはならないため、調整を行うときに塵埃が筐体の内部に侵入する虞があるという問題がある。
【００１１】
本発明は、斯かる事情に鑑みてなされたものであって、その目的とするところは、筐体内に鏡又はプリズム等の光学部材及び光学部材を保持する保持体を備え、筐体に開口を形成して保持体の一部を筐体の外に突出させ、突出部分を操作することで光学部材の向きを調節することができ、また、筐体の内部から開口の周縁部分に当接して開口を閉鎖する閉鎖部を保持体に備えることで筐体内を密閉し、塵埃の侵入を防止することができる光学装置を提供することにある。
【００１２】
また本発明の他の目的とするところは、保持体に平滑な隆起部分を形成し、隆起部分を筐体の開口の周縁部分に当接させることで、より確実に開口を閉鎖し、筐体内を密閉することができる光学装置を提供することにある。
【００１３】
また本発明の他の目的とするところは、保持体の閉鎖部を筐体にネジで固定する構成とすることで、光学部材の方向を簡単に調節でき、筐体の開口を閉鎖した状態で確実に保持体を固定することができる光学装置を提供することにある。
【００１４】
また本発明の他の目的とするところは、保持体に突設した支軸部を筐体に形成したテーパ穴に挿入して保持体を支持することで、保持体を揺動可能且つ回動可能とすることができ、光学部材の向きを簡単に調節することができる光学装置を提供することにある。
【００１５】
また本発明の他の目的とするところは、筐体に着脱可能な蓋体を備え、蓋体に保持体を固定する場合に、蓋体を脱離したときに保持体が傾倒することを防止するために、保持体に突出部分を形成し、筐体に保持体の突出部分と当接して支持する当接支持部を備えることで、保持体の傾倒により光学部材が傷付く虞をなくすことができる光学装置を提供することにある。
【００１６】
また本発明の他の目的とするところは、複数の凸部が形成された隆起部分を保持体に形成し、隆起部分の凸部を開口の周縁部分に当接させる構成とすることにより、保持体を筐体に固定する場合に、固定作業が行いやすい光学装置を提供することにある。
【００１７】
また本発明の他の目的とするところは、筐体の開口の周縁部分に複数の凸部を形成し、保持体に形成された隆起部分と筐体の複数の凸部とが当接する構成とすることにより、保持体を筐体に固定する場合に、固定作業が行いやすい光学装置を提供することにある。
【００１８】
また本発明の他の目的とするところは、複数の凸部が形成された隆起部分を保持体に形成し、筐体の開口の周縁部分に隆起部分の複数の凸部と噛合する複数の凸部を形成し、保持体の複数の凸部と筐体の複数の凸部とを噛合した状態で、保持体を筐体に固定する構成とすることにより、保持体を筐体に固定する場合に、固定作業が行いやすい光学装置を提供することにある。
【００１９】
また本発明の他の目的とするところは、筐体の開口が形成された側に向けて保持体を付勢する構成とすることにより、保持体の筐体への固定を解除した場合に、保持体の位置調整を行いやすい光学装置を提供することにある。
【００２０】
また本発明の他の目的とするところは、保持体の支軸部に挿嵌されるコイルバネによって、筐体の開口が形成された側に向けて保持体を付勢する構成とすることにより、保持体の筐体への固定を解除した場合に、保持体の位置調整を行いやすい光学装置を提供することにある。
【課題を解決するための手段】
【００２１】
本発明に係る光学装置は、筐体と、該筐体内に配設された光学部材と、該光学部材を保持する保持体とを備え、該保持体に、前記筐体の内部から外部へ突出し、前記光学部材の向きを変更するためのツマミ部を設けてある光学装置において、前記筐体には前記ツマミ部を突出させるための開口が形成してあり、前記保持体は前記開口を前記筐体の内部から閉鎖する閉鎖部を有し、前記ツマミ部は前記閉鎖部に設けてあり、前記保持体を前記筐体に固定する固定手段を備えることを特徴とする。
【００２２】
本発明においては、筐体に開口を形成し、開口から保持体の一部を突出させ、突出部分を操作することで光学部材の向きを調節し、調節が終わった状態で筐体に保持体を固定するようにして、簡単に光学部材の向きを調節する機構を実現する。また、筐体に形成した開口の周縁部分と筐体の内部から当接して開口を閉鎖する閉鎖部を保持体に備え、開口から塵埃が侵入することを防ぎ、筐体内の密閉性を高める。
【００２３】
また、本発明に係る光学装置は、前記閉鎖部が、前記開口を閉鎖する閉鎖面から隆起する隆起部分を有し、該隆起部分が、前記開口の周縁部分と連続して当接するようにしてあることを特徴とする。
【００２４】
この発明においては、保持体に隆起部分を形成し、隆起部分と筐体の開口部の周縁部分とを当接させるようにし、隆起部分の当接部分を平滑にしておいて、簡単な構成でより確実に開口を閉鎖し、塵埃が筐体内に侵入することを防止する。
【００２５】
また、本発明に係る光学装置は、前記固定手段がネジであり、前記筐体には前記ネジの軸部が遊貫する貫通孔が形成してあり、前記閉鎖部は、前記ネジと螺合するネジ穴が形成してあり、前記貫通孔の周縁部分に当接して、前記筐体の内側から前記貫通孔を閉鎖するようにしてあることを特徴とする。
【００２６】
この発明においては、保持体の閉鎖部にネジ穴を形成し、筐体にネジの軸部が遊貫する貫通孔を形成し、ネジを用いて保持体を筐体に固定する構成とし、光学部材の向きを調節することで保持体の固定位置が変わった場合であっても、貫通孔の範囲内でネジの固定位置を変えて保持体を筐体に固定する。また、筐体の貫通孔を保持体の閉鎖部が閉鎖するようにして、筐体内に塵埃が侵入することを防止する。
【００２７】
また、本発明に係る光学装置は、前記保持体には棒状の支軸部が突出してあり、前記筐体には内側から外側へ縮径するテーパ穴が形成してあり、前記支軸部を前記テーパ穴に挿入して前記保持体を揺動可能且つ回動可能に支持するようにしてあることを特徴とする。
【００２８】
この発明においては、保持体に支軸部を突設し、筐体にテーパ穴を形成し、支軸部をテーパ穴に挿入して保持体を支持する構成として、簡単に保持体を揺動可能且つ回動可能とし、保持体を動かすことで簡単に光学部材の向きを調節する。
【００２９】
また、本発明に係る光学装置は、前記筐体が着脱可能な蓋体を有し、前記固定手段は前記保持体を前記蓋体に固定するようにしてあり、前記保持体は突出部分を有し、前記固定手段による固定を解除した場合に、前記突出部分に当接して前記保持体を支持する当接支持部を前記筐体内に備えることを特徴とする。
【００３０】
この発明においては、筐体に着脱可能な蓋体を備え、保持体を揺動可能とし、蓋体に保持体を固定する構成とする場合に、保持体に突出部分を形成し、筐体に保持体の突出部分と当接して保持体を支持する当接支持部を備え、保持体の固定を解除して蓋体を脱離したときに、揺動可能としてある保持体が傾倒することを防止し、保持体の傾倒により光学部材が傷付く虞をなくす。
【００３１】
また、本発明に係る光学装置は、前記閉鎖部が、前記開口を閉鎖する閉鎖面から隆起し、複数の凸部が形成された隆起部分を有し、該隆起部分の凸部が、前記開口の周縁部分と当接するようにしてあることを特徴とする。
【００３２】
この発明においては、保持体の隆起部に形成された複数の凸部を筐体の開口の周縁部分に当接させた状態で、保持体を筐体に固定する。筐体の開口の周縁部分が平滑であれば、保持体と筐体との接触面積が少なくなるため、接触部分の摩擦係数が小さくなる。例えば、保持体の固定をネジにより行う場合、接触部分の摩擦力が大きいときは、保持体の位置を調整した後、ネジを締める途中段階では、保持体が筐体に対して動かないが、最終段階のネジを締め切る段階で大きな力が加わり、保持体が筐体に対して急に動くことがある。保持体と筐体との接触部分の摩擦係数が小さい場合には、ネジを締めきる最終段階でのみ保持体が急に動くことがないため、保持体の動きを予測でき、ネジによる固定が行いやすい。
【００３３】
また、本発明に係る光学装置は、前記閉鎖部が、前記開口を閉鎖する閉鎖面から隆起する隆起部分を有し、前記筐体の内側の前記開口の周縁部分には、複数の凸部が形成してあり、前記隆起部分が、前記開口の周縁部分の凸部と当接するようにしてあることを特徴とする。
【００３４】
この発明においては、筐体の開口の周縁部分に形成された複数の凸部に保持体の隆起部分を当接させた状態で、保持体を筐体に固定する。保持体の隆起部分が平滑であれば、保持体と筐体との接触面積が少なくなるため、接触部分の摩擦係数が小さくなり、保持体の固定が行いやすい。
【００３５】
また、本発明に係る光学装置は、前記閉鎖部が、前記開口を閉鎖する閉鎖面から隆起し、複数の凸部が形成された隆起部分を有し、前記筐体の内側の前記開口の周縁部分には、前記隆起部分の複数の凸部と噛合する複数の凸部が形成してあることを特徴とする。
【００３６】
この発明においては、保持体の隆起部に形成された複数の凸部と、筐体の開口の周縁部分に形成された複数の凸部とを噛合させた状態で、保持体を筐体に固定する。例えば、保持体の固定をネジにより行う場合に、ネジを締める大きな力が加わったときであっても、保持体が筐体に対して動くことがなく、固定を行いやすい。
【００３７】
また、本発明に係る光学装置は、前記保持体を前記筐体の前記開口の側へ向けて付勢する付勢手段を備えることを特徴とする。
【００３８】
この発明においては、筐体の開口が形成された側に向けて保持体を付勢しておく。例えば、保持体の固定をネジにより行う場合、ネジを緩めて保持体の固定を解除したときには、保持体と筐体とが当接しなくなり、保持体が筐体に対して不安定な状態となり、保持体の位置調整が行いにくく、また、位置調整を行った後、保持体を筐体に固定するときには、ネジ締めに伴って保持体の位置にズレが生じることがあるが、保持体が筐体に付勢されて安定した状態を保つことができるため、保持体の位置調整が行いやすくなり、また、保持体の位置にズレが生じにくくなる。
【００３９】
また、本発明に係る光学装置は、前記支軸部に挿嵌されるコイルバネを備え、該コイルバネが、前記保持体の前記支軸部の突出基部と前記筐体の前記テーパ穴の周縁部との間に介在して、前記保持体を前記筐体の前記開口の側へ向けて付勢するようにしてあることを特徴とする。
【００４０】
この発明においては、保持体の支軸部に挿嵌されるコイルバネによって、筐体の開口が形成された面に側けて保持体を付勢する。保持体の固定を解除した場合に、保持体が筐体に付勢されて安定した状態を保つことができるため、保持体の位置調整が行いやすく、また、保持体の位置にズレが生じにくい。
【発明の効果】
【００４１】
本発明による場合は、筐体に開口を形成し、開口から保持体の一部を突出させ、突出部を操作して保持体を筐体内で動かすことができるようにすることで、簡単に光学部材の向きを調節することができ、また、開口の周縁部分と当接して開口を閉鎖する閉鎖部を保持体に備えることで、開口から塵埃が侵入することを防ぐことができ、筐体内の密閉性を高めることができるため、光学装置を用いるプロジェクタなどにおいて投影される映像の画質を高めることができる。
【００４２】
また、本発明による場合は、保持体に隆起部分を形成し、隆起部分と筐体の開口部の周縁部分とを当接させる構成とし、隆起部分の当接面を平滑にすることで、確実に筐体の開口部を閉鎖することができ、塵埃が筐体内に侵入することを防止することができるため、光学装置を用いるプロジェクタなどにおいて投影される映像の画質を高めることができる。
【００４３】
また、本発明による場合は、保持体の閉鎖部にネジ穴を形成し、筐体にネジの軸部が遊貫する貫通孔を形成し、ネジを用いて保持体を筐体に固定する構成とすることで、筐体内で保持体を動かして保持体の固定位置が変わった場合であっても、貫通孔の範囲内でネジの固定位置を変えて保持体を固定することができるため、光学部材の向きの調節を簡単に行うことができ、調節後に簡単に確実に保持体を筐体に固定することができる。
【００４４】
また、本発明による場合は、保持体に突設した支軸部を筐体に形成したテーパ穴に挿入して保持体を支持する構成とすることで、保持体を簡単に揺動可能且つ回動可能とすることができるため、光学部材の調節機構を備えることによる光学装置の大型化及びコストの増加等を抑制することができる。
【００４５】
また、本発明による場合は、筐体に着脱可能な蓋体を備え、保持体を揺動可能とし、蓋体に保持体を固定する場合に、保持体の固定を解除して蓋体を脱離したときに、揺動可能としてある保持体が傾倒しないように、保持体に突出部分を形成し、筐体に保持体の突出部分と当接して支持する当接支持部を備えることで、保持体の傾倒により鏡または筐体内の光学部材等が傷付く虞をなくすことができる。
【００４６】
また、本発明による場合は、複数の凸部が形成された隆起部分を保持体に形成し、隆起部分の凸部を開口の周縁部分に当接させる構成とすることにより、保持体と筐体との接触部分の摩擦係数が小さくなり、保持体を筐体に固定する場合に、保持体の動きを予想しやすくなり、固定作業が行いやすくなる。このため、保持体の位置、即ち光学部材の位置の調整をより高い精度で行うことができ、光学装置を用いるプロジェクタなどにおいて投影される映像の画質を高めることができる。
【００４７】
また、本発明による場合は、筐体の開口の周縁部分に複数の凸部を形成し、保持体に形成された隆起部分と筐体の複数の凸部とが当接する構成とすることにより、保持体と筐体との接触部分の摩擦係数が小さくなり、保持体を筐体に固定する場合に、保持体の動きを予想しやすくなり、固定作業が行いやすくなる。このため、光学部材の位置の調整をより高い精度で行うことができ、光学装置を用いるプロジェクタなどにおいて投影される映像の画質を高めることができる。
【００４８】
また、本発明による場合は、複数の凸部が形成された隆起部分を保持体に形成し、筐体の開口の周縁部分に隆起部分の複数の凸部と噛合する複数の凸部を形成し、保持体の複数の凸部と筐体の複数の凸部とを噛合した状態で、保持体を筐体に固定する構成とすることにより、位置調整を行った後で保持体を筐体に固定する場合に、保持体の位置がズレにくく、固定作業が行いやすい。このため、光学部材の位置の調整をより高い精度で行うことができ、光学装置を用いるプロジェクタなどにおいて投影される映像の画質を高めることができる。
【００４９】
また、本発明による場合は、筐体の開口が形成された側に向けて保持体を付勢する構成とすることにより、保持体が安定した状態を保つことができ、保持体の位置調整が行いやすく、また、保持体を筐体に固定する場合に、保持体の位置にズレが生じにくい。このため、固定作業が行いやすく、光学部材の位置の調整をより高い精度で行うことができ、光学装置を用いるプロジェクタなどにおいて投影される映像の画質を高めることができる。
【００５０】
また、本発明による場合は、保持体の支軸部に挿嵌されるコイルバネによって、筐体の開口が形成された側に向けて保持体を付勢する構成とすることにより、保持体が安定した状態を保つことができるため、保持体の位置調整が行いやすく、また、保持体を筐体に固定する場合に、保持体の位置にズレが生じにくい。また、コイルバネのみで保持体の位置調整の作業性を改善できるため、コストの増加を抑えることができる。
【発明を実施するための最良の形態】
【００５１】
以下、本発明をその実施の形態を示す図面に基づき具体的に説明する。
（実施の形態１）
図１は、本発明に係るプロジェクタの構成を示す模式図である。図において１は光源であり、光源１にはキセノンランプ又は水銀ランプ等が用いられる。光源１の背面には放物面鏡であるリフレクタ２が配設してあり、光源１から発した白色光はリフレクタ２によって反射されて平行光となる。この平行光の出射先にはレンズ３が配設してあり、平行光はレンズ３によってカラーホイール４へ集光される。カラーホイール４は、赤色、緑色及び青色の光をそれぞれ透過する扇状のカラーフィルタを３つ等配した円盤であり、中心には図示しないモータの回転軸が接続されている。モータによりカラーホイール４を回転させることで、レンズ３からの光を、一定の期間に例えば赤色、緑色そして青色の順番に表示するようにして、光の３原色に分離することができる。
【００５２】
カラーホイール４にて３原色に分離された光は、ロッドインテグレータ５へ入射する。ロッドインテグレータ５は、入射した光を内部で多重反射させることで照度分布を平均化して出射する。ロッドインテグレータ５の出射先にはリレー用のレンズ６が配設してあり、ロッドインテグレータ５から出射した光は、リレー用のレンズ６によってプリズム７に入射する。プリズム７を間にしてレンズ６と対向する位置には鏡１０が配設してあり、レンズ６からの光はプリズム７を通して鏡１０を照射する。鏡１０は照射された光を反射してプリズム７に入射させ、入射した光はプリズム７によりＤＭＤ８へ導かれる。
【００５３】
ＤＭＤ８は、ＣＭＯＳ半導体上に数十万〜数百万個の微小な可動鏡を敷き詰めたもので、可動鏡を略＋１０度又は略−１０度の２種類の傾斜状態の間をスイッチングさせ、照射された光を２方向へ反射することにより、光をディジタル変調することができる。プリズム７からＤＭＤ８へ照射された光は、投影する映像の映像信号に基づく制御信号によりスイッチングされる可動鏡によって選択的に反射され、選択された一方の光がプリズム７により投影用のレンズ９へ導かれ、レンズ９により拡大された映像がスクリーン１００へ投影される。
【００５４】
レンズ６、プリズム７及び鏡１０等の光学部材は、同一の筐体内に収容されて配設され、筐体内にて上述の光路を形成している。略長方形状の鏡１０は鏡保持体２０によって保持された状態で配設してあり、鏡保持体２０を動かすことにより鏡１０の光の反射方向を調整することができるようにしてある。図２は本発明に係る鏡保持体２０の斜視図であり、図３は本発明に係る鏡保持体２０の正面図であり、図４は本発明に係る鏡保持体２０の側面図である。
【００５５】
鏡保持体２０は、鏡１０を保持するための鏡１０と同様の長方形状の鏡保持板２３を有しており、鏡保持板２３は、鏡１０の側面を三方から囲むように鏡保持板２３の三辺に形成された外枠２３ａと、外枠２３ａの内側から突出して鏡１０の表面と当接する３つの当接爪２３ｂ、２３ｂ、２３ｂと、外枠２３ａのない鏡保持板２３の一辺側に形成された鏡１０の抜け落ちを防止するための係止爪２３ｃとを備えている。外枠２３ａが形成されていない一辺側から鏡１０を鏡保持板２３に装着した場合に、鏡１０の側面を外枠２３ａ及び係止爪２３ｃにより固定し、鏡１０の表面に当接爪２３ｂ、２３ｂ、２３ｂが当接することで、鏡１０は鏡保持板２３から抜け落ちることなく保持される。
【００５６】
鏡保持板２３の一側面には、鏡保持体２０を筐体内で支持するための支軸部２４が突設してある。支軸部２４は円柱形状で先端部分が丸めてあり、支軸部２４が後述の筐体に形成された貫通孔を挿通した状態で、鏡保持体２０は筐体内に立設される。鏡保持板２３の支軸部２４が突設してある側の反対側面には、略長方形状の連結板２５を介して閉鎖板２２が連結してある。閉鎖板２２は長方形状の板であり、鏡保持板２３と略直交する方向に連結板２５の短辺側の側面に固定してある。また、連結板２５の長辺側の側面には、側板２６が連結板２５と略直交するように取り付けてあり、側板２６にも閉鎖板２２を固定することで、閉鎖板２２を連結板２５及び側板２６の２つの板で安定して固定している。
【００５７】
閉鎖板２２の連結板２５及び側板２６に固定される面の反対面には、略矩形状の板状部材であるツマミ部２１が突設してあり、また、鏡保持体２０を筐体に固定するための２つのネジ穴２７、２７が穿設してある。閉鎖板２２のツマミ部２１が突設してある側の面は、面の外周より内側に、ツマミ部２１の突設部分及び２つのネジ穴２７、２７の穿設部分を包囲する形状で隆起した隆起部２２ａが形成してあり、支軸部２４の先端部分が接する筐体の内面に対向する内面に隆起部２２ａが当接した状態で鏡保持体２０はネジ止めされて固定される。また、隆起部２２ａの筐体の内面との当接部分は、密接できるように表面を平滑にしてある。
【００５８】
また、鏡保持板２３の鏡１０を保持する面の反対面及び側板２６の連結板２５に固定されている面の反対面には、鏡保持体２０のネジ止めによる固定が解除された場合に鏡保持体２０が傾倒することを防止するための、略矩形状の傾倒防止板２８、２８がそれぞれ突設してある。略直交する方向に突設された傾倒防止板２８、２８は、後述の筐体５０の当接支持部５４、５４にそれぞれ支持され、鏡保持体２０が傾倒しないようにしてある。
【００５９】
図５は、本発明に係る光学装置の筐体に鏡保持体を固定した状態を示す模式断面図である。図５において５０は筐体であり、筐体５０の底板５０ｂ、側板５０ｃ及び蓋体５０ａで囲まれた密閉空間内には、鏡保持体２０に保持された鏡１０と、レンズ又はプリズム等の光学部材とが収容されて配設される。
【００６０】
底板５０ｂには筐体５０の内側から外側へ向けて縮径するように形成された貫通孔であるテーパ穴５３が備えてあり、鏡保持体２０はテーパ穴５３に支軸部２４を挿通した状態で配設される。支軸部２４はテーパ穴５３に挿通したのみであるため回動することが可能であり、また、テーパ穴５３の傾斜の範囲内で揺動することが可能である。このため、鏡保持体２０を回動又は揺動して鏡１０の反射方向を調整することができる。
【００６１】
蓋体５０ａは着脱することが可能であり、筐体５０内に鏡１０及び鏡保持体２０とレンズ又はプリズム等の光学部材とを収容した後で装着され、図示しないネジにより側板５０ｃに固定される。図６は、本発明に係る光学装置の筐体５０の一部拡大上面図である。図において（ａ）は蓋体５０ａを装着した場合であり、（ｂ）は蓋体５０ａを装着していない場合である。
【００６２】
蓋体５０ａには長方形状の開口部５１が形成してあり、蓋体５０ａを装着した状態では、筐体５０内に配設された鏡保持体２０のツマミ部２１が開口部５１から突出するようにしてある。開口部５１はツマミ部２１の大きさより大きく形成してあり、開口部５１から突出したツマミ部２１は、開口部５１の範囲内で動かすことが可能にしてある。ツマミ部２１を動かすことで、鏡保持体２０を支軸部２４の先端部を中心に揺動及び回動させることができる。
【００６３】
また、蓋体５０ａには、開口部５１の短辺方向に長い形状の長穴である２つの貫通孔５２、５２が略平行に穿設してあり、ネジ６０、６０を貫通孔５２、５２に挿通し、鏡保持体２０のネジ穴２７、２７と螺合させることで、鏡保持体２０を筐体５０内に固定することができる。ネジ６０、６０とネジ穴２７、２７との固定位置は、貫通孔５２、５２の長手方向の範囲内で変更することができ、この範囲内で鏡保持体２０を揺動又は回動させて鏡１０の反射方向を調節し、鏡保持体２０をネジ６０、６０により蓋体５０ａに固定できるようにしてある。
【００６４】
鏡保持体２０をネジ６０、６０により蓋体５０ａに固定した状態では、開口部５１及び貫通孔５２、５２の周縁部分と鏡保持体２０の閉鎖板２２に形成された隆起部２２ａとが密接し、開口部５１及び貫通孔５２、５２から塵埃が筐体内部に侵入することを防止している。隆起部２２ａの蓋体５０ａと密接する部分は、鏡保持体２０が揺動又は回動された場合であっても開口部５１及び貫通孔５２、５２の周縁部分と密接できるように、開口部５１及び貫通孔５２、５２の開口面の面積よりも可動範囲分大きくしてある。
【００６５】
また、筐体５０の側板５０ｃの内側には、２つの板状部材である当接支持部５４、５４が突設してある。当接支持部５４、５４は、ネジ６０、６０を外して鏡保持体２０の固定を解除し、蓋体５０ａを脱着した場合に、鏡保持体２０の傾倒防止板２８、２８の下面に当接することで鏡保持体２０を二カ所で支持し、鏡保持体２０が筐体５０内で傾倒することを防止する。なお、鏡保持体２０がネジ６０、６０により蓋体５０ａに固定されている場合には、傾倒防止板２８、２８と当接支持部５４、５４は当接せず、若干の隙間をもって対向するように当接支持部５４、５４は側板５０ｃに突設してあり、鏡保持体２０の固定が解除されて、鏡保持体２０が自重により下方へ落ちることで、傾倒防止板２８、２８と当接支持部５４、５４とが当接するようにしてある。
【００６６】
以上の構成の光学装置において、鏡１０の反射方向を調節する場合には、ネジ６０、６０を緩め、開口部５１から突出するツマミ部２１を操作して筐体５０内の鏡保持体２０を揺動又は回動させて鏡１０の反射方向を調節し、反射方向が定まった後でネジ６０、６０を締めて鏡保持体２０を固定する。ネジ６０、６０を締めて鏡保持体２０を固定した場合には、鏡保持体２０の閉鎖板２２に形成された隆起部２２ａと、筐体５０の蓋体５０ａに形成された開口部５１及び貫通孔５２、５２の周縁部分とが密接するため、筐体５０内に塵埃が侵入することを防止できる。
【００６７】
また、筐体５０内に配設された光学素子の修理又は交換等のために蓋体５０ａを脱着する場合には、ネジ６０、６０を外して蓋体５０ａと鏡保持体２０との固定を解除した後に蓋体５０ａを脱着する。このとき、蓋体５０ａとの固定が解除された鏡保持体２０は自重により下方へ移動し、鏡保持体２０の傾倒防止板２８、２８と筐体５０の側板５０ｃに突設された当接支持部５４、５４とが当接し、当接支持部５４、５４により鏡保持体２０が支持されて、鏡保持体２０が傾倒することを防止する。
【００６８】
なお、本発明の実施の形態においては、鏡保持体２０のツマミ部２１を突出させるための開口部５１を筐体５０の蓋体５０ａに形成する構成を示したが、これに限るものではなく、筐体５０の側板５０ｃ又は底板５０ｂに形成してもよい。また、鏡保持体２０を揺動可能及び回動可能にするために鏡保持体の支軸部２４を筐体５０の底板５０ｂに形成したテーパ穴５３に挿通する構成を示したが、これに限るものではなく、例えば揺動及び回動することができる継ぎ手を介して鏡保持体２０と筐体５０とを接続する構成としてもよい。また、テーパ穴５３を底板５０ｂに穿設するのではなく、テーパ状の穴を有する支軸部２４を受けるための部材を別途筐体内に配設してもよい。また、鏡保持体２０の傾倒を防止するために、鏡保持体２０に傾倒防止板２８、２８を備え、筐体５０の側板５０ｃに当接支持部５４、５４を備える構成を示したが、これに限るものではなく、他の手段で鏡保持体２０の傾倒を防止してもよい。また、図１に示したプロジェクタの構成も一例であってこれに限るものではなく、レンズ、プリズム及び鏡等の配置が異なるものであってもよく、更には、プロジェクタ以外の機器であっても、光学系に１つ以上の鏡が備えられるものであれば本発明を適用することができる。
【００６９】
（実施の形態２）
図７は、本発明の実施の形態２に係る光学装置の筐体５０に鏡保持体を固定した状態を示す模式的断面図である。実施の形態２に係る鏡保持体２０ａの円柱形状の支軸部２４には、圧縮バネとして用いるコイルバネ７０がはめ込んである。鏡保持体２０ａを筐体５０内に配設した場合、コイルバネ７０の一端部は鏡保持体２０ａの鏡保持板２３の下面に当接し、他端は筐体５０の底板５０ｂに形成されたテーパ穴５３の周縁部分に当接する。コイルバネ７０の直径は、テーパ穴５３の最大直径より若干大きくしてある。
【００７０】
コイルバネ７０によって、鏡保持体２０ａは筐体５０の上方へ、即ち筐体５０の蓋体５０ａに形成された開口部５１へ向けて付勢される。コイルバネ７０の付勢により、蓋体５０ａに鏡保持体２０ａを固定しているネジ６０、６０を緩めた場合であっても、鏡保持体２０ａが下方へ移動せず、鏡保持体２０ａの隆起部２２ａが蓋体５０ａに当接した状態を保つことができるようにしてある。
【００７１】
図８は、本発明の実施の形態２に係る光学装置の鏡保持体２０ａ及び筐体５０の接触部分の拡大断面図であり、図７の破線で囲まれた部分を拡大したものである。また、図９は、本発明の実施の形態２に係る光学装置の鏡保持体２０ａの拡大斜視図であり、鏡保持体２０ａの閉鎖板２２の上面の一部分を拡大したものである。
【００７２】
鏡保持体２０ａの閉鎖板２２に設けられた隆起部２２ａの上面には、複数の凸部７２、７２…が形成してある。凸部７２、７２…は、半球状をなし、隆起部２２ａの上面に格子状に並設してある。凸部７２、７２…それぞれの高さは略同一にしてあり、各凸部７２、７２…の頂端部分が均一に蓋体５０ａに当接するようにしてある。
【００７３】
隆起部２２ａに複数の凸部７２、７２…を形成することにより、隆起部２２ａと蓋体５０ａとの接触面積が少なくなり、コイルバネ７０によって付勢される鏡保持体２０ａの位置調整を行う場合に、隆起部２２ａを蓋体５０ａに当接させた状態のまま、鏡保持体２０ａが蓋体５０ａの内面に沿って移動しやすくしてある。
【００７４】
以上の構成の光学装置においては、コイルバネ７０を設けて鏡保持体２０ａを蓋体５０ａへ向けて付勢することにより、ネジ６０、６０を緩めた場合に、鏡保持体２０ａが下方へ移動しないため、鏡保持体２０ａの位置調整を行いやすく、また、位置調整後にネジ６０、６０を締めた場合に、鏡保持体２０ａが上方へ移動しないため、より正確な位置調整を行うことができる。
【００７５】
また、鏡保持体２０ａの隆起部２２ａに複数の凸部７２、７２…を形成し、鏡保持体２０ａを蓋体５０ａの内面に沿って移動しやすくすることにより、コイルバネ７０により蓋体５０ａに向けて付勢される鏡保持体２０ａの位置調整が行いやすくなる。特に、隆起部２２ａ及び蓋体５０ａの接触面積が大きい場合には、鏡保持体２０ａの位置調整を行った後、ネジ６０、６０の締める途中段階では、隆起部２２ａ及び蓋体５０ａの間に働く摩擦力が大きいため、鏡保持体２０ａが蓋体５０ａに対して動かず、ネジ６０、６０を締め切る最終段階で大きな力が加わり、鏡保持体２０ａがネジ６０、６０の回転に伴って急に動くことがあるが、隆起部２２ａ及び蓋体５０ａの接触面積を小さくして摩擦力を小さくすることにより、ネジ６０、６０を締める途中段階で鏡保持体２０ａがネジ６０、６０の回転に伴って動きやすくなるため、ネジ６０、６０を締めて鏡保持体２０ａの固定を行う使用者が、予め鏡保持体２０ａの動きを予測しやすく、鏡保持体２０ａを押さえながらネジ６０、６０を締めるなどの対策を予め行うことができるため、鏡保持体２０ａの位置調整の精度を高めることができる。
【００７６】
なお、実施の形態２においては、鏡保持体２０ａをコイルバネ７０により付勢する構成を示したが、これに限るものではなく、板バネ若しくは竹の子バネ等の他のバネ、又はゴム等により鏡保持体２０ａを付勢する構成としてもよい。また、コイルバネ７０が必要ない場合には、これを備えない構成であってもよい。
【００７７】
また、鏡保持体２０ａの隆起部２２ａに形成する凸部７２、７２…を半球状としたが、これに限るものではなく、例えば円錐又は円錐台等の形状としてもよく、また、以下に示す変形例の構成としてもよい。また、凸部７２、７２…が必要ない場合には、これを備えない構成であってもよい。
【００７８】
（変形例１）  図１０は、本発明の実施の形態２の変形例１に係る光学装置の鏡保持体２０ａの拡大斜視図であり、鏡保持体２０ａの閉鎖板２２の上面の一部分を拡大したものである。鏡保持体２０ａの閉鎖板２２に設けられた隆起部２２ａの上面には、断面が三角形状をなす線状の凸部７２、７２…が、閉鎖板２２の長手方向と平行に、複数並べて形成してある。凸部７２、７２…それぞれの高さは略同一にしてあり、各凸部７２、７２…の頂端部分が均一に蓋体５０ａに当接するようにしてある。
【００７９】
凸部７２、７２…を線状として並設した場合であっても、凸部７２、７２…を半球状とした場合と同様の効果を有する。なお、線状の凸部７２、７２…の断面が三角形状をなす構成を示したが、これに限るものではなく、例えば断面が半球状又は台形状等をなす構成であってもよい。
【００８０】
（変形例２）  図１１は、本発明の実施の形態２の変形例２に係る光学装置の鏡保持体２０ａの拡大斜視図であり、鏡保持体２０ａの閉鎖板２２の上面の一部分を拡大したものである。鏡保持体２０ａの閉鎖板２２に設けられた隆起部２２ａの上面には、断面が三角形状をなす線状の凸部７２、７２…が、閉鎖板２２の長手方向と直交する方向に対して平行に、複数並べて形成してある。凸部７２、７２…それぞれの高さは略同一にしてあり、各凸部７２、７２…の頂端部分が均一に蓋体５０ａに当接するようにしてある。
【００８１】
なお、変形例１においては線状の凸部７２、７２…を閉鎖板２２の長手方向に形成し、変形例２においては線状の凸部７２、７２…を閉鎖板２２の長手方向と直交する方向に形成する構成を示したが、これに限るものではなく、閉鎖板２２の長手方向に対して４５゜又は６０゜等の角度の方向に形成する構成であってもよい。
【００８２】
また、実施の形態２並びに実施の形態２の変形例１及び変形例２においては、凸部７２、７２…を閉鎖板２２の隆起部２２ａに設ける構成を示したが、これに限るものではなく、以下に示す変形例の構成としてもよい。
【００８３】
（変形例３）  図１２は、本発明の実施の形態２の変形例３に係る光学装置の鏡保持体２０ａ及び蓋体５０ａの接触部分の拡大断面図である。筐体５０の蓋体５０ａの内面には、複数の凸部７３、７３…が形成してある。凸部７３、７３…は、半球状をなし、蓋体５０ａの内面に格子状に並設してある。凸部７３、７３…それぞれの高さは略同一にしてあり、各凸部７３、７３…の頂端部分が均一に鏡保持体２０ａの隆起部２２ａに当接するようにしてある。
【００８４】
蓋体５０ａの内面に複数の凸部７３、７３…を形成することにより、蓋体５０ａと鏡保持体２０ａの隆起部２２ａとの接触面積が少なくなるため、鏡保持体２０ａの隆起部２２ａに凸部７２、７２…を形成する場合と同様に、鏡保持体２０ａを筐体５０にネジ６０、６０によって固定する作業が行いやすくなる。なお、蓋体５０ａの凸部７３、７３…は、少なくとも鏡保持体２０ａの隆起部２２ａが当接する範囲に形成してあればよく、必ずしも蓋体５０ａの内面全域に形成しなくてもよい。
【００８５】
（変形例４）  図１３は、本発明の実施の形態２の変形例４に係る光学装置の鏡保持体２０ａ及び蓋体５０ａの接触部分の拡大断面図である。鏡保持体２０ａの閉鎖板２２に設けられた隆起部２２ａの上面には、複数の凸部７２、７２…が形成してあり、また、筐体５０の蓋体５０ａの内面には、複数の凸部７３、７３…が形成してある。凸部７２、７２…及び凸部７３、７３…は共に半球状をなし、凸部７２、７２…は隆起部２２ａの上面に格子状に並設してあり、凸部７３、７３…は蓋体５０ａの内面に格子状に並設してある。このとき、凸部７２、７２…及び凸部７３、７３…は、略同一の形状且つ略同一の配置とし、蓋体５０ａの内面に鏡保持体２０ａの隆起部２２ａを当接させた場合に、複数の凸部７２、７２…と複数の凸部７３、７３…とが噛合して、蓋体５０ａの内面に沿って鏡保持体２０ａの位置が動かないようにしてある。
【００８６】
なお、隆起部２２ａに凸部７２、７２…を形成し、蓋体５０ａに凸部７３、７３…を形成する構成を示したが、これに限るものではなく、どちらか一方に凹部を形成して他方の凸部と噛合する構成としてもよい。
【００８７】
以上の構成により、コイルバネ７０によって筐体５０の蓋体５０ａの内面に押しつけられた鏡保持体２０ａは、ネジ６０、６０によって固定されていない状態であっても、簡単に位置ズレが生じることがないため、鏡保持体２０ａの位置を調整した後に、ネジ６０、６０を締める回転力によって調整位置にズレが生じることがない。なお、ネジ６０、６０を緩めて鏡保持体２０ａの位置調整を行う場合は、コイルバネ７０の付勢に逆らって、鏡保持体２０ａを若干下方に押し下げながら行えばよい。
【００８８】
なお、実施の形態２に係る光学装置のその他の構成は、実施の形態１に係る光学装置の構成と同様であるため、対応する箇所には同じ符号を付して詳細な説明を省略する。
【図面の簡単な説明】
【００８９】
【図１】本発明に係るプロジェクタの構成を示す模式図である。
【図２】本発明に係る鏡保持体の斜視図である。
【図３】本発明に係る鏡保持体の正面図である。
【図４】本発明に係る鏡保持体の側面図である。
【図５】本発明に係る光学装置の筐体に鏡保持体を固定した状態を示す模式断面図で    ある。
【図６】本発明に係る光学装置の筐体の一部拡大上面図である。
【図７】本発明の実施の形態２に係る光学装置の筐体に鏡保持体を固定した状態を示す模式的断面図である。
【図８】本発明の実施の形態２に係る光学装置の鏡保持体及び筐体の接触部分の拡大断面図である。
【図９】本発明の実施の形態２に係る光学装置の鏡保持体の拡大斜視図である。
【図１０】本発明の実施の形態２の変形例１に係る光学装置の鏡保持体の拡大斜視図である。
【図１１】本発明の実施の形態２の変形例２に係る光学装置の鏡保持体の拡大斜視図である。
【図１２】本発明の実施の形態２の変形例３に係る光学装置の鏡保持体及び蓋体の接触部分の拡大断面図である。
【図１３】本発明の実施の形態２の変形例４に係る光学装置の鏡保持体及び蓋体の接触部分の拡大断面図である。
【図１４】光学装置における従来の鏡取付構造を示す模式断面図である。
【図１５】筐体内で鏡を保持する従来の鏡保持体の構成を示す斜視図である。
【符号の説明】
【００９０】
１０  鏡（光学部材）
２０、２０ａ  鏡保持体（保持体）
２１  ツマミ部
２２  閉鎖板（閉鎖部）
２２ａ  隆起部
２３  鏡保持板
２４  支軸部
２７  ネジ穴
２８  傾倒防止板（突出部分）
５０  筐体
５０ａ  蓋体
５１  開口部
５２  貫通孔
５３  テーパ穴
５４  当接支持部
６０  ネジ
７２、７３  凸部
【図１】
2006251752.tif 000003
【図２】
2006251752.tif 000004
【図３】
2006251752.tif 000005
【図４】
2006251752.tif 000006
【図５】
2006251752.tif 000007
【図６】
2006251752.tif 000008
【図７】
2006251752.tif 000009
【図８】
2006251752.tif 000010
【図９】
2006251752.tif 000011
【図１０】
2006251752.tif 000012
【図１１】
2006251752.tif 000013
【図１２】
2006251752.tif 000014
【図１３】
2006251752.tif 000015
【図１４】
2006251752.tif 000016
【図１５】
2006251752.tif 000017